(57)【要約】【課題】気液接触における圧力損失を抑制しつつ、良好且つ効率的な気液接触が可能な気液接触装置を提供する。【解決手段】気液接触装置は、気液接触部、液体供給システム及びガス供給システムを有し、気液接触部は、横方向に配列するように割り当てられる複数の領域を有し、複数の領域の各々が、間隔を空けて並列する複数の鉛直な平板を有する。液体供給システムは、液体を気液接触部に供給して複数の領域を配列に沿って順次流通させ、ガス供給システムは、ガスを気液接触部に供給して複数の領域を配列に沿って順次流通させる。供給される液体は、複数の領域の各々において、複数の鉛直な平板を流下すると共に、供給されるガスと接触する。【選択図】図１
2018086635.tif 000002
【特許請求の範囲】
【請求項１】
横方向に配列するように割り当てられる複数の領域を有し、前記複数の領域の各々が、並列する複数の鉛直な平板を有する気液接触部と、
液体を前記気液接触部に供給して前記複数の領域を配列に沿って順次流通させる液体供給システムと、
ガスを前記気液接触部に供給して前記複数の領域を配列に沿って順次流通させるガス供給システムと
を有し、供給される液体は、前記複数の領域の各々において、前記複数の鉛直な平板を流下すると共に、供給されるガスと接触する気液接触装置。
【請求項２】
前記液体供給システムによって供給される液体が、前記複数の領域を流通する順序は、前記ガス供給システムによって供給されるガスが前記複数の領域を流通する順序と逆である請求項１に記載の気液接触装置。
【請求項３】
前記ガス供給システムは、ガスが最初に流通する領域に接続されるガス導入部と、ガスが最後に流通する領域に接続されるガス排出部と、前記ガス排出部に設けられるデミスタとを有する請求項１又は２に記載の気液接触装置。
【請求項４】
前記ガス供給システムによって供給されるガスが、前記複数の領域を横方向に貫通するように、前記複数の領域は、横方向に相互に連通し、前記複数の領域の各々における前記複数の鉛直な平板は、前記ガスが通過する方向に沿うように配置される請求項１〜３の何れか一項に記載の気液接触装置。
【請求項５】
前記ガス供給システムは、更に、前記複数の領域におけるガスの流通が、領域毎に上昇及び下降を交互に繰り返すようにガスを誘導する誘導壁を有する請求項１〜３の何れか一項に記載の気液接触装置。
【請求項６】
前記ガス供給システムは、更に、前記複数の領域の１つの上部から、次にガスが流通する領域の下部へガスを誘導する連通路を形成する誘導壁を有し、それにより、ガスは、前記複数の領域の各々において前記平板の間を上昇するように流通する請求項１〜３の何れか一項に記載の気液接触装置。
【請求項７】
前記気液接触部は、更に、前記複数の領域の境界において、ガスが前記複数の平板を回避して上方又は下方を流れるのを防止するための仕切り壁を有する請求項４に記載の気液接触装置。
【請求項８】
更に、１つの横長の容器を有し、前記複数の領域は、前記横長の容器内において長手方向に配列するように割り当てられる請求項１〜７の何れか一項に記載の気液接触装置。
【請求項９】
前記液体供給システムは、
前記複数の領域の各々において上側に設けられる複数の液分配器と、
前記複数の領域の各々において下側に設けられる複数の液回収口と、
前記複数の領域において、１つの領域の液回収口と次に液体が供給される領域の液分配器とが接続するように、前記複数の液分配器と前記複数の液回収口とを接続する配管系と
を有する請求項１〜８の何れか一項に記載の気液接触装置。
【請求項１０】
前記液体供給システムは、更に、
１つの領域から回収される液体の一部を前記１つの領域に還流するように前記配管系から分岐して前記１つの領域に接続する分岐管を有する請求項９に記載の気液接触装置。
【請求項１１】
前記液体供給システムは、
前記複数の領域の各々において上側に設けられて前記複数の平板に液体を各々供給する複数の液分配器と、
前記複数の領域の各々において下側に設けられて前記複数の平板を流下する液体を各々回収する複数の液回収口と、
前記複数の領域の各々において、前記液回収口から回収される液体を前記液分配器に還流するように、前記複数の液分配器と前記複数の液回収口とを接続する配管系と、
前記複数の領域の境界に設けられる仕切り壁であって、前記複数の領域において、１つの領域に留まる液体量が所定量を超えた時に超過分の液体を次に液体が供給される領域に流して液体量を所定量に規制する前記仕切り壁と
を有する請求項１〜４及び８の何れか一項に記載の気液接触装置。
【請求項１２】
前記液体供給システムは、
前記複数の領域の各々において上側に設けられる複数の液分配器と、
前記複数の領域の各々において下側に設けられる複数の液回収口と、
前記複数の領域において、１つの領域の液回収口と次に液体が供給される領域の液分配器とが接続するように、前記複数の液分配器と前記複数の液回収口とを接続する配管系と
を有し、最初に液体が供給される領域を除く前記複数の領域の各々において、１つの領域における液分配器が、前記１つの領域とその前の領域の２つの領域に跨って液体を供給可能なように配置される請求項１〜４及び８の何れか一項に記載の気液接触装置。
【請求項１３】
前記液体供給システムは、液体の温度を調整するために前記配管系に設けられる少なくとも１つの熱交換器と、液体を供給するための動力源を有する請求項９〜１２の何れか一項に記載の気液接触装置。
【発明の詳細な説明】
【技術分野】
【０００１】
本発明は、特定ガス成分を分離、除去又は回収するガス浄化装置、ガス分離装置や、冷却装置等として使用可能な、気体−液体間の接触による物質移動又はエネルギー移動を促進する気液接触装置に関する。
【背景技術】
【０００２】
従来、化学プラントや火力発電所等において、様々な種類のガスを含む排ガス等の被処理ガスから、気液接触を利用して特定のガスを分離、除去又は回収するガス分離装置が使用されている。例えば、二酸化炭素回収装置では、モノエタノールアミン水溶液等の吸収液に二酸化炭素を含むガスを接触させることによって二酸化炭素を吸収分離し、吸収した後の吸収液を加熱しながら気液接触させることによって二酸化炭素を気相に放出させて回収する。また、排ガスから有害ガス成分を除去するためのガス浄化装置や、混合ガスから特定ガス成分を分離するためのガス分離装置においても、気液接触を利用して吸収液による特定ガス成分の吸収が行われる。更に、高温の液体又はガスを冷却する冷却装置においても気液接触が利用されている。
【０００３】
一般的に、気液接触を行う装置は、液体とガスとの接触面積を増大させるための充填材を有し、充填材表面において液体とガスとを気液接触させて、ガス中の特定ガス成分や熱を液体に吸収させる。気液接触面積の増大に有用な充填材の具体的な形態として、様々なものが提案されている。
【０００４】
形状や構造が複雑な不規則充填物は、加工や装填に手間が掛かり、製造コストや作業上の手間が大幅に増加することから、大容量の処理を行う工業分野においては、簡素な構成の充填材の使用が進められている。例えば、下記特許文献１には、エキスパンドメタル板を充填材として用いたガス分離装置が記載される。また、下記特許文献２では、液体が充填材上を濡れ拡がる面積を増加させるように表面形状を工夫した気液接触板を用いた気液接触装置が記載されている。
【０００５】
一方、下記特許文献３では、気液接触相を多段階に構成した吸収塔及び再生塔を有する二酸化炭素の回収装置を記載し、吸収塔及び再生塔内には、各々、複数の気液接触相が上下方向に配列されている。このような上下方向の多段階構造によって、気液間の接触面積が増加し、接触効率が強化される。
【先行技術文献】
【特許文献】
【０００６】
【特許文献１】国際公開第２０１３／０１５４１５号パンフレット
【特許文献２】特開２００２−３０６９５８号公報
【特許文献３】特開２０１３−２２６４７６号公報
【発明の概要】
【発明が解決しようとする課題】
【０００７】
特許文献１，２に記載されるような充填材や気液接触板は、板状で比較的簡素な構造であるので、装置内への装填作業等は比較的容易である。しかし、充填材の製造加工については、手間や費用の問題が残る。又、充填材表面の形状に起因して、ガスを供給した時に流通抵抗による圧力損失が生じるため、操業時の消費エネルギーが問題となる。
【０００８】
この点に関し、平板（薄層材）の使用は、充填材の製造加工コストを削減可能である。この場合、多数の鉛直な平板を並列させて、上から液体を供給すると共に平板間の間隙にガスを供給して、平板上を流下する液体と間隙を通過するガスとを接触させる。このような形態では、ガスの流通抵抗による圧力損失が少なく、操業時の消費エネルギーを低く抑えることが可能である。
【０００９】
しかし、平板を充填材として使用する場合、液体による充填材の濡れ不足によって気液接触面積の減少を生じ易く、接触効率を高くすることは難しい。このため、従来は、上記特許文献３に記載されるように、気液接触相を上下方向に多段階に積層する構成を利用することが一般的である。しかし、このような多段階構成は、高さを高くするには限界がある。又、塔内を占める気液接触相の容積率もあまり高く設定することができない。
【００１０】
本発明は、上述した問題点に鑑みて提案されたものであり、気液接触における圧力損失を抑制しつつ、濡れ不良を解消して良好且つ効率的な気液接触を実現可能な気液接触装置を提供することを課題とする。
【課題を解決するための手段】
【００１１】
上記課題を解決するために、本発明者等は、気液接触装置の構造設計について検討したところ、重力負荷に対する耐久性の問題を回避しつつ気液接触相を多段階に構成可能であり、良好な気液接触を実現し得ることを見出した。
【００１２】
本発明の一態様によれば、気液接触装置は、横方向に配列するように割り当てられる複数の領域を有し、前記複数の領域の各々が、並列する複数の鉛直な平板を有する気液接触部と、液体を前記気液接触部に供給して前記複数の領域を配列に沿って順次流通させる液体供給システムと、ガスを前記気液接触部に供給して前記複数の領域を配列に沿って順次流通させるガス供給システムとを有し、供給される液体は、前記複数の領域の各々において、前記複数の鉛直な平板を流下すると共に、供給されるガスと接触することを要旨とする。
【００１３】
前記液体供給システムによって供給される液体が前記複数の領域を流通する順序は、前記ガス供給システムによって供給されるガスが前記複数の領域を流通する順序と逆であるように構成することができる。気液接触装置は、１つの横長の容器を有し、前記気液接触部の前記複数の領域は、前記横長の容器内において長手方向に配列するように割り当てられるように構成すると良い。
【００１４】
前記液体供給システムは、前記複数の領域の各々において上側に設けられる複数の液分配器と、前記複数の領域の各々において下側に設けられる複数の液回収口と、前記複数の領域において、１つの領域の液回収口と次に液体が供給される領域の液分配器とが接続するように、前記複数の液分配器と前記複数の液回収口とを接続する配管系とを有すると良い。前記液体供給システムは、更に、液体の温度を調整するために前記配管系に設けられる少なくとも１つの熱交換器と、液体を供給するための動力源とを有することができる。又、１つの領域から回収される液体の一部を前記１つの領域に還流するように前記配管系から分岐して前記１つの領域に接続する分岐管を有するように構成すると、同一領域において液体の流通を繰り返すことができる。
【００１５】
前記ガス供給システムは、ガスが最初に流通する領域に接続されるガス導入部と、ガスが最後に流通する領域に接続されるガス排出部と、前記ガス排出部に設けられるデミスタとを有するとよい。
【００１６】
前記ガス供給システムによって供給されるガスが、前記複数の領域を横方向に貫通するように、前記複数の領域は、横方向に相互に連通し、前記複数の領域の各々における前記複数の鉛直な平板は、前記ガスが通過する方向に沿うように配置される構成であっても良い。前記気液接触部は、更に、前記複数の領域の境界において、ガスが前記複数の平板を回避して上方又は下方を流れるのを防止するための仕切り壁を有すると良好である。仕切り壁は、必要に応じて適所に設けることができる。
【００１７】
或いは、前記ガス供給システムは、更に、前記複数の領域におけるガスの流通が、領域毎に上昇及び下降を交互に繰り返すようにガスを誘導する誘導壁を有する構成であっても良い。或いは、前記ガス供給システムは、更に、前記複数の領域の１つの上部から、次にガスが流通する領域の下部へガスを誘導する連通路を形成する誘導壁を有するとよく、それにより、ガスは、前記複数の領域の各々において前記平板の間を上昇するように流通する構成になる。
【００１８】
或いは、前記液体供給システムは、前記複数の領域の各々において上側に設けられて前記複数の平板に液体を各々供給する複数の液分配器と、前記複数の領域の各々において下側に設けられて前記複数の平板を流下する液体を各々回収する複数の液回収口と、前記複数の領域の各々において、前記液回収口から回収される液体を前記液分配器に還流するように、前記複数の液分配器と前記複数の液回収口とを接続する配管系と、前記複数の領域の境界に設けられる仕切り壁であって、前記複数の領域において、１つの領域に留まる液体量が所定量を超えた時に超過分の液体を次に液体が供給される領域に流して液体量を所定量に規制する前記仕切り壁とを有するように構成指定も良い。或いは、前記液体供給システムについて、前記複数の領域において、１つの領域の液回収口と次に液体が供給される領域の液分配器とが接続するように、前記複数の液分配器と前記複数の液回収口とを接続するような配管系を構成して、最初に液体が供給される領域を除く前記複数の領域の各々において、１つの領域における液分配器が、前記１つの領域とその前の領域の２つの領域に跨って液体を供給可能なように配置してもよい。
【発明の効果】
【００１９】
気液接触における圧力損失が抑制された気液接触相を、重力負荷の問題を回避しつつ多段階に構成することが可能であるので、操業時のエネルギー効率が良く、良好な気液接触及び効率的な成分移行やエネルギー移行を実現できる気液接触装置の提供が可能になる。
【図面の簡単な説明】
【００２０】
【図１】（ａ）は、気液接触装置の一実施形態を概略的に示す長手方向の断面図、（ｂ）は、（ａ）中のＡ−Ａ線断面図。
【図２】（ａ）及び（ｂ）は、気液接触部の充填材構成を説明するための概略図。
【図３】図３は、気液接触装置の他の実施形態を概略的に示す長手方向の断面図。
【図４】気液接触装置の更に他の実施形態を概略的に示す長手方向の断面図。
【図５】気液接触装置の変更例を示す長手方向の断面図。
【図６】気液接触装置の他の変更例を示す長手方向の断面図。
【図７】気液接触装置の更に他の変更例を示す長手方向の断面図。
【発明を実施するための形態】
【００２１】
本発明の実施形態について、単に例示として、添付の図面を参照して以下に説明する。実施形態において示す寸法、材料、その他の具体的な数値等は、発明の理解を容易とするための例示にすぎず、本発明を限定するものではない。尚、明細書および図面において、実質的に同一の機能、構成を有する要素については、同一の符号を付することにより重複説明を省略し、また、本発明に直接関係のない要素は図示を省略する。
【００２２】
並列する複数の鉛直な平板を充填材として有する気液接触相は、ガスの流通抵抗による圧力損失が少ない。従って、多数の気液接触相を積層して多段階に構成しても、気液接触処理における消費エネルギーを低く抑えることが可能である。しかし、従来のように鉛直方向に積層させた多段階構造においては、段数を増やして気液接触効率を高めるには限界がある。本発明は、複数の気液接触相を横方向に配列して多段階に構成することにより、高さの限界に関する問題を解消する。以下において、図面を参照して、気液接触装置の実施形態を具体的に説明する。尚、図面の理解を容易にするために、液体を供給する配管系については、簡略化して実線で示す。
【００２３】
図１は、気液接触装置の一実施形態を示す。図１において、気液接触装置１は、気液接触部２と、液体供給システム３と、ガス供給システム４とを有する。具体的には、気液接触装置１は、水平方向に長く伸長した横長の容器２１を有し、容器２１内に気液接触部２が構成される。容器２１は、長手方向に沿った天板２１ｔ、底板２１ｂ及び１対の側壁２１ｓと、長手方向両端の端壁２１ａ，２１ｄとを有し、容器２１の形状は、長手方向に垂直な断面が略長方形になる略四角柱状である。容器２１内の横長な空間に構成される気液接触部２は、容器２１の長手方向に沿って横方向に配列するように割り当てられる複数の領域２ａ，２ｂ，２ｃ，２ｄを有する。複数の領域の各々において、充填材２２として、間隔を空けて並列する複数の鉛直な平板Ｐが配設される。気液接触部２の各領域は、従来の一段の気液接触相に相当し、各領域において液体Ｌを上方から複数の鉛直な平板Ｐへ供給して流下させることによって、平板Ｐ上に液膜が形成される。尚、この実施形態において、気液接触部２には４つの領域が割合てられているが、割り当てられる領域の数は、２つ以上の何れの数であってもよく、必要に応じて、適切な数の領域に割り当てられる。又、この実施形態の気液接触部２において、複数の領域２ａ，２ｂ，２ｃ，２ｄは、実質的に均等に割り当てられ、同一寸法の平板Ｐが充填材２２に用いられているが、必要に応じて、各領域の長手方向の長さが異なるように変更することも可能である。
【００２４】
気液接触装置１は、更に、液体Ｌを気液接触部２に供給して複数の領域２ａ，２ｂ，２ｃ，２ｄを配列に沿って順次流通させる液体供給システム３と、ガスＧを気液接触部２に供給して複数の領域２ａ，２ｂ，２ｃ，２ｄを配列に沿って順次流通させるガス供給システム４とを有する。液体供給システム３は、複数の領域２ａ，２ｂ，２ｃ，２ｄの各々において上側に設けられる複数の液分配器３１と、複数の領域の各々において下側に設けられる複数の液回収口３２と、複数の領域において１つの領域の液回収口３２と次に液体が供給される領域の液分配器３１とが接続するように、複数の液分配器３１と複数の液回収口３２とを接続する配管系３３とを有する。容器２１の底板２１ｂは、領域毎に中央が最も低くなるように傾斜した凹型に形成され、凹型の底部に液回収口３２が接続される。配管系３３を通じて領域２ａ内の液分配器３１に供給される液体は、液分配器３１から平板Ｐの上方へ供給されて平板Ｐの表面を伝って流下し、底部に貯留され、液回収口３２から配管系３３へ排出される。配管系３３上には、１つの領域の液回収口３２と次の領域の液分配器３１との間に、各々、ポンプ３４が配置され、送液エネルギーを供給する動力源として作用する。ポンプ３４の駆動によって、１つの領域の液回収口３２から次の領域の液分配器３１へ液体が送られるので、領域２ａの底部の液体は、次の領域２ｂの液分配器３１へ供給される。同様にして、後続の領域２ｃ，２ｄへの供給が順次行われるので、液体Ｌは、複数の領域２ａ，２ｂ，２ｃ，２ｄを順次流通する。尚、配管系３３を流れる液体の流量は、ポンプ３４の駆動調整によって調節できるので、各領域の底部に貯留される液体の量は、ポンプ３４の調整によって調節可能である。しかし、必要に応じて、配管系３３に流量調整弁を設置し、これを用いて液体の流量を調整しても良く、調整精度が向上する。
【００２５】
充填材２２に液体Ｌを供給するための液分配器３１としては、一般的に使用されるものから適宜選択して使用することができる。ドリップポイントの密度（面積当たりの液体の供給点数）が１００〜３０００点／ｍ２程度の液分配器を用いて良好な気液接触処理を実施できる。ドリップポイントの密度が５００〜３０００点／ｍ２の液分配器を利用すると好適である。液分配器は、概して、液体を各ドリップポイントへ誘導し分配するための分配管を主体として構成され、分配管の各ドリップポイントに、開口、細管ノズル、誘導爪等のような液体を落下させる手段が設けられる。このような何れのタイプの液分配器も利用可能であり、液分配器に供給される液体は、分配管を通じて各ドリップポイントへ分配され、自由落下して充填材２２へ供給される。
【００２６】
又、液体の温度を調整可能な熱交換器３５が、配管系３３上に配置される。従って、熱媒又は冷媒を熱交換器３５に供給することにより気液接触処理に適した温度に調整された液体を各領域に供給することができるので、液体が領域２ａから領域２ｄへ向かって順次流通する間に気液接触を通じて生じる液体の温度変化は、熱交換器３５を用いて解消することができる。尚、図１の実施形態では、配管系３３に設置される熱交換器３５の数は、（領域数−１）であり、領域毎に液体の温度調整が行われる。しかし、熱交換器３５は、加熱又は冷却の必要度に応じて使用すればよく、少なくとも１つの熱交換器を用いて液体の温度調節を行うことができる。つまり、状況に応じて熱交換器３５を減数又は省略して良い。
【００２７】
一方、ガス供給システム４として、気液接触装置１は、ガスが最初に流通する領域２ｄに接続される管状のガス導入部４１と、ガスが最後に流通する領域２ａに接続される管状のガス排出部４２とを有する。ガス導入部４１は、端壁２１ｄの中央に設けられ、ガス排出部４２は、端壁２１ａ中央に設けられる。ガス排出部４２から排出されるガスＧに微小液滴が同伴排出されるのを防止するために、デミスタ４３がガス排出部４２に設置される。デミスタ４３としては、金網、多孔板等の網状又は多孔質の部材が使用可能であり、一般的にデミスタとして利用されるものから適した開口寸法のものを選択すればよい。
【００２８】
図１の構成において、液体供給システム３及びガス供給システム４によって液体Ｌ及びガスＧを気液接触装置１の気液接触部２に供給すると、複数の領域２ａ，２ｂ，２ｃ，２ｄの各々において、供給される液体Ｌが複数の鉛直な平板Ｐを流下すると共に、供給されるガスＧが平板Ｐ間を横方向に流通して交差し、液体ＬとガスＧとが接触する。この実施形態では、液体供給システム３によって供給される液体Ｌが、複数の領域２ａ，２ｂ，２ｃ，２ｄを流通する順序は、ガス供給システム４によって供給されるガスＧが複数の領域２ａ，２ｂ，２ｃ，２ｄを流通する順序とは逆の順序であるので、液体Ｌ及びガスＧの供給によって、気液接触部２全体として対向流接触が実施される。ガス導入部４１及びガス排出部４２の設置位置が逆になるように図１の実施形態を変更すると、液体Ｌ及びガスＧは同じ順序で複数の領域に供給されるので、並行流接触を実施することが可能である。尚、図１の実施形態及び後述する実施形態において、ガスＧの供給は、外部から供給されるガスＧの流圧を利用して行うものとして、ガス供給用の動力源は特に記載されないが、必要に応じて、ポンプやファン等の送気手段を使用してよい。
【００２９】
ガスＧと液体Ｌとを接触させる際のガスＧの流通抵抗は、操業時の消費エネルギーを左右する。平板Ｐの厚さ及び間隔によって、充填材２２における単位容積当たりの濡れ面積（気液接触面積）、ガス流量及びガスの流通抵抗が変化するので、これらを考慮して、好適な流通空間になるように並列する平板Ｐの数が設定される。平板Ｐの間隔は、例えば、スペーサーを介在させて固定することができる。ガスＧ及び液体Ｌの流動を妨げないように、スペーサーの寸法及び設置位置を適宜調整すればよい。複数の平板Ｐを纏めてユニットとして一体化させるための外枠を用いてもよく、平板がスペーサーを介して並列するように複数の平板Ｐの上端及び下端を外枠で固定すると、充填材２２の装填作業が容易になる。
【００３０】
気液接触部２の複数の領域２ａ，２ｂ，２ｃ，２ｄの境界位置において、仕切り壁２３，２４が、容器２１の天板２１ｔ及び底板２１ｂから鉛直に立設される。但し、仕切り壁２３，２４の高さは小さく、複数の領域２ａ，２ｂ，２ｃ，２ｄの境界面は、各々、ほぼ全面的に開放される。つまり、複数の領域２ａ，２ｂ，２ｃ，２ｄは、横方向に相互に連通する。図１において、ガスＧがガス導入部４１から供給されると、ガスＧは、容器２１の長手方向に沿って気液接触部２を流通し、領域２ｄから領域２ａに向かって順に通過する。複数の領域２ａ，２ｂ，２ｃ，２ｄの各々において、複数の鉛直な平板Ｐは、ガスＧが通過する方向に沿うように、容器２１の長手方向に平行に配置されるので、ガス供給システムによって供給されるガスＧは、平板Ｐ間の空間及び平板Ｐと容器２１側部との間の空間を真っ直ぐに通過して、複数の領域２ａ，２ｂ，２ｃ，２ｄを横方向に直線的に貫通することができる。故に、流通抵抗によるガスＧの圧力損失は低く抑えられる。
【００３１】
天板２１ｔ側の仕切り壁２３は、ガスＧが平板Ｐ間の空間を回避してその上方を流れるのを防止する役割をする。従って、仕切り壁２３の高さは、少なくとも、その下端が平板Ｐの上端に達するように設定され、平板Ｐの角に接するように設けられるが、過度の高さはガスＧの流通抵抗を高める。又、底板２１ｂ側の仕切り壁２４は、ガスＧの流れが平板Ｐの下方に逃れるのを防止する役割をする。平板Ｐから流下して底部に貯留する液体の液面レベルが平板Ｐの下端に達する（つまり、平板Ｐの下端が貯留液体に接触する）と、ガスＧの流れが平板Ｐを回避して下方を流れるのを確実に防止することができるので、仕切り壁２４の高さは、各領域に配置された平板Ｐの下端より高く、且つ、液体の貯留が確実に保持されるように設定するとよい。尚、平板Ｐ間の距離を適正に固定するスペーサーを使用する際に、仕切り壁２３，２４を利用してスペーサーを設置してもよい。或いは、平板Ｐの側端を嵌合可能な幅を有する浅い鉛直方向の溝を仕切り壁２３，２４の側面に形成すると、平板Ｐの側端を溝内で保持して位置決めすることが可能であるので、スペーサーとして機能する。
【００３２】
図１の実施形態においては、複数の領域２ａ，２ｂ，２ｃ，２ｄの各々には、個別に、複数の平板Ｐが配設される。しかし、複数の領域２ａ，２ｂ，２ｃ，２ｄは、相互に横方向に連通するので、複数の領域２ａ，２ｂ，２ｃ，２ｄにおいて共通の平板を使用するような変更も可能である。つまり、気液接触部２の長手方向長さ（＝複数の領域２ａ，２ｂ，２ｃ，２ｄの長手方向の長さの合計）に等しい長さを有する複数の平板を、複数の領域２ａ，２ｂ，２ｃ，２ｄを貫通するように並設してもよい。従って、複数の鉛直な平板Ｐの各々として、複数の領域２ａ，２ｂ，２ｃ，２ｄを通して一体的に連続する横長な平板が使用できる。この際、必要に応じて、仕切り壁２３，２４を嵌め込むための切り欠きを各平板の上端及び下端に形成すると良好に設置することができる。或いは、仕切り壁２３の下端及び仕切り壁２４の上端に複数の切り欠きを形成して、平板を切り欠きに嵌め込むようにしてもよい。この場合、仕切り壁２３，２４及び切り欠きは、平板の位置決め手段としても作用し得る。
【００３３】
図１の実施形態における気液接触部２の各領域は、一列に並列する複数の平板による一段構造の充填材を用いて構成されるが、充填材の強度等の点において許容し得る範囲内で、多段構造の充填材を用いても良い。例えば、図２（ａ）のように、並列する平板を積載した複数段（図中では４段）構造の充填材２２ａを用いることができる。この場合、各段の間に、上段の平板を支持するための支持部材が介在する。図２（ａ）の例では、複数の細長い平板片Ｓを、平板Ｐに対して垂直方向に架け渡すように配置して上下段の間に介在させ、支持部材として使用する。このような平板片Ｓは、上段の平板Ｐから流下する液体を、平板Ｐに対して垂直な方向に再分配する機能を有する。液体の再分配によって、濡れ不良による濡れ面積の減少を好適に防止することができる。但し、平板片Ｓによって、ガスの流通抵抗が生じるので、ガス流れに垂直な面において平板片Ｓが占める面積比が２０％未満となるように、高さが低い平板片を用いることが好ましい。或いは、このような平板片Ｓを架け渡す代わりに、薄い多孔板や網板を平板Ｐ上に載せて用いると、ガスの流通抵抗を小さく抑えつつ支持部材として好適に機能し、平板Ｐを安定的に積載することができる。
【００３４】
図１の気液接触装置１において、各領域に図２（ａ）の充填材２２ａを設置すると、ガスの流通方向は、横方向（水平方向）であり、液体の流下方向（鉛直方向）と垂直に交差する。しかし、この充填材２２ａは、ガスＧが鉛直方向に流通するような形態で使用することも可能であり、充填材２２ａを用いて並行流又は対向流の気液接触を行うことができる。一方、図２（ｂ）のように、上段側の平板Ｐと下段側の平板Ｐとが互いにねじれの位置で垂直になるように平板を積載すると、支持部材を介在させずに多段構造の充填材２２ｂを構成することができる。この充填材２２ｂも、上段の平板Ｐから流下する液体を下段の平板Ｐに対して垂直な方向に再分配する機能を有する。充填材２２ｂでは、水平方向のガス流れについては流通抵抗が大きいが、鉛直方向のガス流通については、ガスＧは容易に平板Ｐ間を通過し、流通抵抗は少ない。従って、この充填材２２ｂは、並行流又は対向流の気液接触を行うのに適している。並行流又は対向流の気液接触が可能な構造を有する気液接触装置について、以下に記載する。
【００３５】
図３は、並行流又は対向流の気液接触を行う気液接触装置の一実施形態を示す。尚、図３の気液接触装置１１は、気液接触部２の各領域に、図１と同様の充填材２２を装填する形態で記載されるが、前述から理解されるように、図２（ａ），（ｂ）の充填材２２ａ，２２ｂの何れか又は両方を気液接触装置１１に装填して使用してもよい。
【００３６】
図３の気液接触装置１１は、図１の気液接触装置１と同様の液体供給システム３を有する。気液接触部２には、同様に、４つの領域２ａ，２ｂ，２ｃ，２ｄが割り当てられ、液体供給システム３の配管系３３を通じて気液接触部２の領域２ａから領域２ｄへ向かって液体Ｌが順次供給される。各領域において、液分配器３１から供給される液体Ｌは、平板Ｐ上を流下して液回収口３２から回収され、ポンプ３４によって次の領域へ送られる間に、熱交換器３５によって温度調整される。一方、ガス供給システム４ａは、ガスＧの流通が、領域毎に上昇及び下降を交互に繰り返すように構成される。
【００３７】
具体的には、図３においては、図１における仕切り壁２４の一部は誘導壁２５に置換される。仕切り壁２４が残される位置と、誘導壁２５に置換される位置は、複数の領域の境界において交互に配置される。又、誘導壁２５が設けられる境界においては、図１の仕切り壁２３は除去され、仕切り壁２４が残る境界においては、図１の仕切り壁２３は誘導壁２６に置換される。従って、誘導壁２５及び誘導壁２６は、気液接触部２の複数の領域２ａ，２ｂ，２ｃ，２ｄの境界において、交互に配置される。誘導壁２５は、容器２１の底板２１ｂから上方へ向かって鉛直方向に長く延伸し、その高さは、上端と容器２１の天板２１ｔとの間に所定の間隔を空けるように設定される。従って、隣接する２つの領域の境界の大部分は、誘導壁２５によって遮断され、２つの領域は、誘導壁２５の上方の空間によって部分的に連通する。誘導壁２６は、容器２１の天板２１ｔから下方へ向かって鉛直方向に長く延伸し、その高さは、下端と仕切り壁２４の上端との間に所定の間隔を空けるように設定される。従って、隣接する２つの領域の境界の大部分が、誘導壁２６によって遮断され、２つの区間は、誘導壁２６の下方の空間によって部分的に連通する。
【００３８】
誘導壁２５及び誘導壁２６は、複数の領域２ａ，２ｂ，２ｃ，２ｄの境界に交互に設けられるので、隣接する２つの領域を相互に連通する空間は、気液接触部２の上側及び下側に交互に形成される。従って、ガス導入部４１ａから供給されるガスＧは、気液接触部２を流れる間に、領域毎に上昇と下降とを交互に繰り返すように上下に蛇行し、その後、ガス排出部４２ａから排出される。つまり、気液接触部２全体としての液体ＬとガスＧとの気液接触形態は、対向流気液接触であるが、領域毎には、対向流気液接触と並行流気液接触が交互に行われる。
【００３９】
図１の気液接触装置１においては、ガスＧは横方向に流れるので、ガス導入部４１及びガス排出部４２は、各々、端壁２１ｄ，２１ａの中央に設けられて、ガス流れの最上流位置の領域２ｄから最下流位置の領域２ａ迄のガス流れができる限り均等になるように構成される。これに対し、図３の気液接触装置１１は、ガス流れの最上流位置の領域２ｄにおいてガスＧが上昇する構造であるので、ガスＧを下方から領域２ｄへ供給するために、ガス導入部４１ａは、領域２ｄの端面（容器２１の端壁２１ｄ）の下端に設けられる。又、最下流位置の領域２ａにおけるガスＧは下降する構造であるので、ガスＧを領域２ａの下方から排出するために、ガス排出部４２ａも、領域２ａの端面（端壁２１ａ）の下端に設けられる。誘導壁２５，２６の配置が逆になるように変更すると、ガスＧの上昇／下降構造は逆転するので、この場合は、ガスＧを上方から供給及び排出するために、ガス導入部４１ａ及びガス排出部４２ａを端壁２１ａ，２１ｄの上端に設けるように変更するとよい。又、図３の実施形態における気液接触部２の領域数は偶数であるので、ガス導入部４１ａの配置とガス排出部４２ａの設置高さは一致する。気液接触部２の領域数が奇数であるように変更する場合は、ガス導入部４１ａ及びガス排出部４２ａの一方を端壁の上端に配置し、他方を下端に配置するように変更される。つまり、誘導壁２６，２５によって誘導されるガスＧの流れに応じて、ガス導入部４１ａ及びガス排出部４２ａの設置高さは適宜変更される。尚、平板Ｐの側端を保持可能な浅い鉛直方向の溝を誘導壁２５，２６の側面に設けて平板Ｐの位置決めを可能にすると、図１の仕切り壁２３，２４と同様に、スペーサーとしての機能が付与可能である。
【００４０】
図４は、気液接触部の全領域において対向流気液接触を行う気液接触装置の一実施形態を示す。図４の気液接触装置１２も、気液接触部２の各領域に、図１と同様の充填材２２を装填する形態で記載されるが、前述したように、図２（ａ），（ｂ）の充填材２２ａ，２２ｂの何れか又は両方を装填して使用することができる。
【００４１】
図４の気液接触装置１２は、図１の気液接触装置１と同様の液体供給システム３を有する。気液接触部２には、同様に、４つの領域２ａ，２ｂ，２ｃ，２ｄが割り当てられ、液体供給システム３の配管系３３を通じて、気液接触部２の領域２ａから領域２ｄへ向かって液体Ｌが順次供給される。各領域において、液分配器３１から供給される液体Ｌは、平板Ｐ上を流下して液回収口３２から回収され、ポンプ３４によって次の領域へ送られる間に、熱交換器３５によって温度調整される。一方、ガス供給システム４ｂは、気液接触部２の全領域において、ガスＧの流れが上昇して対向流気液接触を行うように構成される。
【００４２】
具体的には、図４においては、複数の領域２ａ，２ｂ，２ｃ，２ｄの境界の各々において、平行な誘導壁２７及び誘導壁２８が設けられ、誘導壁２７と誘導壁２８との間に一定幅の連通路２９が形成される。誘導壁２７は、容器２１の底板２１ｂから上方へ向かって鉛直方向に長く延伸し、その高さは、上端と容器２１の天板２１ｔとの間に所定の間隔を空けるように設定される。誘導壁２８は、容器２１の天板２１ｔから下方へ向かって鉛直方向に長く延伸し、その高さは、下端と容器２１の底板２１ｂとの間に所定の間隔を空けるように設定される。連通路２９は、誘導壁２７と天板２１ｔとの間の空間、及び、誘導壁２８と底板２１ｂとの間の空間において両隣りの領域と連通するので、ガス導入部４１ｂから供給されて領域２ｄの平板Ｐ間を上昇するガスＧは、誘導壁２７の上方から連通路２９を通って、次にガスが流通する領域２ｃの下部へ誘導される。同様にして、後続の領域の各々において、下方からのガス供給と上方からのガス排出が繰り返され、その間に、各領域において平板Ｐ間を上昇するガスＧと流下する液体Ｌとの気液接触が行われる。尚、領域２ａの液分配器３１から供給される液体Ｌがガス排出部４２ｂ側に流出した場合に液体Ｌが領域２ａの底部へ流れるように、領域２ａのガス排出部４２ｂ側に設けられる誘導壁２７の根元には、連絡孔３０が設けられる。
【００４３】
図４の実施形態では、連通路２９が、ガス流れの上流側の領域の上部と下流側の領域の下部とを接続するように形成されるので、ガス導入部４１ａは、最上流位置の領域２ｄの端面（端壁２１ｄ）の下端部に設けられる。一方、ガス流れの最下流位置の領域２ａは、平板Ｐの下流側を誘導壁２７で遮断され、領域２ａの上部から排出されるガスＧは、誘導壁２７と端壁２１ａとの間の空間を下降するので、ガス排出部４２ｂは、端壁２１ａの下端に設けられる。但し、この実施形態は、領域２ａの下流側の誘導壁２７を省略して端壁２１ａと平板Ｐの間の空間を無くすように変更しても良い。その場合、ガス排出部４２ｂは、端壁２１ａの上端に設けられ、領域２ａの上部から排出されるガスＧは容器２１の上部から排出される。
【００４４】
又、図４の実施形態において、ガス導入部４１ｂとガス排出部４２ｂの配置を逆に変更すると、ガスＧは、気液接触部２の各領域において、平板Ｐ間を下降するように流れ、液体ＬとガスＧの並行流気液接触が行われる。この場合、ガスＧは、領域２ａから領域２ｄへ向かって流れるので、気液接触部２全体としても、ガスＧと液体Ｌとの接触は、並行流気液接触となる。或いは、図４の実施形態は、誘導壁２７，２８の設置位置によって、ガスＧが気液接触部２の各領域を下降するように変更することも可能である。つまり、誘導壁２７と誘導壁２８の設置位置を逆にすると、連通路２９は、ガス流れの上流側の領域の下部と下流側の領域の上部とを接続するように変更される。これにより、各領域において、下降するガスＧと液分配器３１から流下する液体Ｌとの並行流気液接触が行なわれる。この変更形態では、ガス導入部４１ｂは、端壁２１ｄの上端部に設ければよい。尚、平板Ｐの側端を保持可能な浅い鉛直方向の溝を誘導壁２７，２８の側面に設けて平板Ｐの位置決めを可能にすると、図１の仕切り壁２３，２４と同様に、スペーサーとしての機能を付与可能である。
【００４５】
図１の気液接触装置１においては、ガスＧは横方向に流れるので、充填材の上方に位置する液分配器３１は、ガス供給の圧力損失には関与しない。又、図３，４の気液接触装置１１，１２においては、ガスＧの流れは、液分配器３１付近で蛇行するので、やはり、ガス供給の圧力損失にはさほど関与しない。従って、気液接触部２が横長に構成された気液接触装置では、液分配器３１による圧力損失を考慮しなくてもよいという利点がある。
【００４６】
上述の気液接触装置１，１１，１２は、状況に応じて好適な気液接触条件を設定するために、様々な変更を施すことが可能である。以下に、変更例を幾つか挙げて説明する。
【００４７】
上述の気液接触装置１，１１，１２においては、装置に供給される液体が平板Ｐを流下する回数は、気液接触部２に割り当てられる領域の数に対応する。しかし、例えば、図５に示す気液接触装置１１'のように、１つの領域の液回収口３２から回収される液体の一部が、次の領域へ供給されずに元の領域へ還流するように配管系３３から分岐して元の領域の液分配器に接続する分岐管５１を設けると、液体の一部は、同一領域を繰り返し流れる。従って、液体Ｌが装置内に滞留する時間が長くなり、液体ＬとガスＧとの接触時間が延長される。つまり、割り当てる領域の数を増加するのと類似の効果が得られる。分岐管５１に流量調整弁５２を設けると、元の領域へ還流する液体の割合の調整が可能になる。還流する液体の割合を増加するに従って、液体Ｌが装置内に滞留する時間が長くなる。尚、図５においては、図３の気液接触装置１１に分岐管５１及び流量調整弁５２を設ける変更例を記載するが、勿論、図１の気液接触装置１又は図４の気液接触装置１２において同様の変更を行ってもよい。
【００４８】
図５のように液体の一部が次の領域へ供給されずに元の領域へ還流する液体供給は、他の形態によっても可能である。例えば、図６は、図１の実施形態において液体の一部還流を可能にした変更例を示す。図６の気液接触装置１３においては、図５に示す分岐管は使用せず、領域間の境界に設けられる仕切り壁２４’の高さの設定によって、底部に貯留する液体の液面レベルを所望のレベルに維持可能な構造を利用する。つまり、液面レベルが仕切り壁２４’の高さに達すると、液体量の増加によって液体が溢れて隣の領域へ移行する性質を利用して、液体を領域２ａから領域２ｄへ向かって段階的に移行させる。これに伴って、図１の配管系３３は、各領域において底部に貯留する液体がその領域の液分配器３１に還流するように変更される。
【００４９】
具体的には、図６の気液接触装置１３の配管系は、導入管３３Ｉ、還流管３３’及び導出管３３Ｅによって構成される。導入管３３Ｉは、最初に液体が供給される領域２ａの液分配器３１に接続され、液分配器３１から平板Ｐに供給される液体は、領域２ａの底部に流下する。還流管３３’は、各領域における液回収口３２と液分配器３１とが連通するように、複数の液分配器と複数の液回収高とを各々接続する。従って、還流管３３’上のポンプ３４が駆動すると、液回収口３２から回収される液体は、液分配器３１に還流され、各領域の平板Ｐに繰り返し供給される。導入管３３Ｉからの液体供給によって、領域２ａの底部に貯留する液体量が増加し、仕切り壁２４’の高さに達すると、新たな供給量に対応する分の液体が、領域２ａの底部から隣りの領域２ｂへ溢れ出る。従って、各領域に留まる液体量は所定量に規制され、これを超えた時に超過分の液体が、次に液体が供給される領域の底部に供給される。故に、次の領域へ供給される液体と元の領域へ還流する液体との割合は、仕切り壁２４’の高さによって設定及び変更することができる。
【００５０】
気液接触装置１３は、容器２１の端壁２１ｄと領域２ｄとの間にも液回収口３２’を有するように容器２１の長さが伸長され、領域２ｄと液回収口３２’との境界にも仕切り壁２４”が設けられる。液回収口３２’には、導出管３３Ｅが接続される。従って、領域２ｄにおいて底部に貯留する液体は、仕切り壁２４”を超えて溢れ出ると、液回収口３２’から導出管３３Ｅを通って排出される。尚、  図６においては、液回収口３２’は、容器２１の底部に設けられているが、容器の側壁２１ｓ又は端壁２１ｄに設けるように変更しても良い。その場合、領域２ｄの底部において所望の液面レベルを超える分の液体が液回収口３２’から溢れ出るように、液回収口３２’を設ける高さを設定すると良く、それにより、仕切り壁２４”を省略し、装置の長手方向の長さの延長を回避することができる。
【００５１】
図７は、図１の実施形態において液体の一部還流を可能にした他の変更例を示す。図７の気液接触装置１４において、液体供給システムは、図１と同様の複数の液回収口３２、及び、複数の液分配器と複数の液回収口とを接続する配管系３３を有する。しかし、各領域に設けられる液分配器については、図７のように、液分配器３１ｂ，３１ｃ，３１ｄが、設置される領域とその前の領域の２つの領域に跨って液体を供給可能なように変更している。これに伴い、仕切り壁の設置位置も、図７の仕切り壁２３’のように変更され、仕切り壁２３’の高さは、平板Ｐの上端に当接する高さに設定される。
【００５２】
図７の形態において、複数の領域２ａ〜２ｄの各々において上側に設けられる複数の液分配器３１ａ〜３１ｄのうち、最初に液体が供給される領域２ａに設けられる液分配器３１ａは、長手方向（領域の配列方向）の長さが図１の液分配器３１より短い。他方、最後に液体が供給される領域２ｄに設けられる液分配器３１ｄは、長手方向の長さが長く、液分配器３１ａの減寸量と液分配器３１ｄの増寸量は等しい。液体の供給順序が最初と最後の領域を除いた領域２ｂ、２ｃの液分配器３１ｂ，３１ｃは、図１の液分配器３１と同じ長さである。つまり、最初に液体が供給される領域を除く他の領域の各々において、液分配器は、設置される領域とその前の領域の２つの領域に跨って液体を供給可能な配置になっている。従って、ポンプ３４の駆動によって１つの領域の液回収口３２から配管系３３を通じて次の領域の液分配器へ液体が供給する点は、図１の実施形態と同様であるが、液分配器へ供給される液体は、次の領域の平板Ｐと、元の領域の平板Ｐとに分配して供給される。液分配器は、２つの領域に跨って液体を供給するので、天板２１ｔに設けられる仕切り壁２３’の位置は、領域の境界から外れているが、仕切り壁２３’の役割は、ガスＧが平板Ｐ間の空間から逃れて上部を通過するのを防止することであるので、その設置位置は、領域の境界に限らず、適宜変更して良い。又、図１〜図７に示す気液接触装置の実施形態において、仕切り壁２３，２３’の設置数を増加すると遮蔽効果が増す。仕切り壁は、天板２１ｔと液分配器との間を遮断するような形態の仕切り壁も有用である。
【００５３】
加圧又は減圧状態での気液接触を行う場合、通常、圧力に対応するために、圧力の作用が分散するように丸い形状の装置に設計される。気液接触装置の横長な容器２１は、様々な軸性形状に変更することができ、上述の気液接触装置の実施形態において、圧力対応を目的として、容器２１が円柱形や楕円柱形のような丸い形状であるように変更してもよい。但し、この場合、容器の周状の側壁と平板Ｐの側端との間に弓形断面の空間が生じるので、ガスＧが平板Ｐ間を回避して両横の空間を流れるのを防止するための遮断壁が、気液接触部の領域の境界毎に設けられる。尚、この点に関し、図２に示すような多段構成の充填材２２ａ，２２ｂにおいては、中段における平板Ｐの数又は横幅を最上段及び最下段より増加させて、充填材の各段における横幅をある程度変動させることが可能である。従って、図２（ａ），（ｂ）のような多段構成の充填材２２ａ，２２ｂを用いて、容器の側壁と充填材との空間がある程度減少するように変更することが可能である。この場合、多段構成の充填材の中段における平板Ｐにも液体を供給可能なように、液分配器の液体落下手段（ノズル、誘導爪等）の長さや形状を改良するとよい。又、この場合も、容器の側壁と平板Ｐとの間をガスＧが流れるのを防止する遮断壁を併用することができる。
【００５４】
上述の実施形態において、気液接触装置の容器２１は、水平な横方向に伸長し、気液接触部２の複数の領域２ａ，２ｂ，２ｃ，２ｄの配列方向は水平である。しかし、気液接触部２の複数の領域が配列する方向は、水平方向に限らず、傾斜した横方向であっても良い。具体的には、隣接する領域間に段差を設けて階段状に複数の領域が配列する構造であっても良い。この場合、液体が最上段に位置する領域から最下段に位置する領域に向かって順次流通するように液体供給システム３を構成すると、エネルギー効率がよい。
【００５５】
平板で構成される充填材は、製造加工コストを低く抑えることができる。又、流通抵抗を少なく抑えて操業費用を削減することができる。従って、上述のような気液接触装置は、大容量の処理及び高速での処理が求められる気体−液体接触装置として有用である。
【００５６】
上述のような気液接触装置によって処理されるガスＧとして、例えば、化学プラントや火力発電所等の設備内で発生した廃ガス（排ガス）や反応ガスが挙げられ、屡々、二酸化炭素や、窒素酸化物、硫黄酸化物等の酸性ガスが特定成分として処理される。ガスＧから除去する特定成分に応じて、吸収液として使用する液体Ｌが選択され、例えば、二酸化炭素の回収除去には、環状アミン化合物やアルカノール系アミンやフェノール系アミン、アルカリ金属塩等のアルカリ剤の水溶液が屡々用いられ、硫黄酸化物の除去には、カルシウム化合物、マグネシウム化合物などのアルカリ剤の水性液が一般的に用いられる。二酸化炭素の回収において屡々用いられるモノエタノールアミン（ＭＥＡ）水溶液では、二酸化炭素との反応によって、カルバミン酸塩・アミン塩（カーバメート）、炭酸塩、重炭酸塩等が生じる。
【００５７】
このため、気液接触装置を構成する各部は、上述したようなガスＧの成分や液体Ｌに含まれる化学薬剤に対して耐性を有する素材で製造される。そのような素材として、例えば、ステンレス綱、アルミニウム、ニッケル、チタン、炭素鋼、真鍮、銅、モネル、銀、スズ、ニオブ等の金属や、ポリエチレン、ポリプロピレン、ＰＴＦＥ等の樹脂が挙げられる。充填材を構成する平板Ｐも、少なくとも表面が、上述のような、処理するガスＧ及び使用する液体Ｌとの反応（腐食）を生じない耐食性の素材で構成される。素材は、やすりがけ、サンドブラスト処理、紫外線オゾン処理、プラズマ処理などの表面加工によって表面に微小な凹凸を形成して表面粗さを付与したものであっても良く、また、コーティング等による表面の改質によって、上述のような使用条件に合うように調製した素材であってもよい。平板Ｐは、厚さが均一な平板又は薄層材であり、気液接触を行う条件に応じて、好適な強度を保持し得るように素材及び厚さを適宜選択することができる。金属線を用いた金網やパンチングメタル板、エキスパンドメタル板等の網板は、単体で自立可能な程度に強度を保持しつつ重量を減少させることが可能な板材であり、液体の濡れ広がりにおいても優れた性質を示す。従って、極めて目が細かい場合には、平板と同様の取り扱いが可能であり、気液接触装置の充填材２２，２２ａ，２２ｂを構成するために用いても良い。
【００５８】
又、気液接触装置は、上述のような特定成分を吸収・分離・除去するための気液接触装置に限らず、種々の化学プラントのプロセスに含まれる冷却、加熱、放散等において使用される装置（冷却塔、加熱塔、放散塔（再生塔）等）に適用することも可能である。
【産業上の利用可能性】
【００５９】
操業時におけるエネルギー効率が良好な気液接触装置が提供され、圧力損失を抑制しつつ良好な気液接触及び効率的な成分移行を実現できるので、冷却塔、加熱塔、吸収塔、放散塔（再生塔）、洗浄塔等として有用である。経済性の向上に基づく汎用化によって、化学処理や製造加工における効率の向上、燃焼ガス等の排ガスの処理の普及による環境汚染の防止等に貢献可能である。又、装置の軽量化や製造加工費用の削減によって、資源の有効利用にも寄与することができる。
【符号の説明】
【００６０】
１，１１，１１’，１２，１３，１４  気液接触装置
２  気液接触部
２ａ，２ｂ，２ｃ，２ｄ  領域
３  液体供給システム
４，４ａ，４ｂ  ガス供給システム
２１  容器
２２，２２ａ，２２ｂ  充填材
２３，２３’，２４，２４’  仕切り壁
２５，２６，２７，２８  誘導壁
２９  連通路
３０  連絡孔
３１，３１ａ，３１ｂ，３１ｃ，３１ｄ  液分配器
３２，３２’  液回収口
３３  配管系
３４  ポンプ
３５  熱交換器
４１，４１ａ，４１ｂ  ガス導入部
４２，４２ａ，４２ｂ  ガス排出部
４３  デミスタ
５１  分岐管
５２  流量調整弁
Ｐ  平板
Ｓ  平板片
Ｌ，Ｌ’  液体
Ｇ，Ｇ’  ガス
【図１】
2018086635.tif 000003
【図２】
2018086635.tif 000004
【図３】
2018086635.tif 000005
【図４】
2018086635.tif 000006
【図５】
2018086635.tif 000007
【図６】
2018086635.tif 000008
【図７】
2018086635.tif 000009